(57)【要約】【課題】電池電圧検出周期を常時可変し供給電圧確認を行うガス遮断装置を提供する。【解決手段】周期可変手段１７は定期的に周期設定手段１５に異なる周期を設定し、電圧検出手段１６は毎回異なった時間帯で電池電源手段２の電圧判定を行い、電圧低下を検出しても周期可変手段１７で計測周期を変え、毎回異なった周期で電圧検出手段１６を駆動し電池電圧低下かどうかを判定しており電池電圧が正常ならば前回の電圧低下検出は誤判定とする構成にしている。【選択図】図１
2005140442.tif 000002
【特許請求の範囲】
【請求項１】
電源を供給する電池電源手段と、ガス媒体の供給や遮断を行う遮断手段と、前記電池電源手段の供給電圧を監視して所定電圧以下を検出すると異常と判定する電圧検出手段と、前記電圧検出手段を駆動する周期を設定する周期設定手段と、前記周期設定手段の周期を可変する周期可変手段と、前記電圧検出手段で所定の回数以上検出を行った時に所定時間の計測を開始する時間計測手段と、前記遮断手段をガス供給可能状態に復帰させる信号を出力する復帰手段と、前記時間計測手段で所定時間が経過した場合に復帰信号を入力禁止とし前記遮断手段に遮断出力を行う復帰禁止手段とを備えたガス遮断装置。
【請求項２】
電源を供給する電池電源手段と、ガス媒体の供給や遮断を行う遮断手段と、前記電池電源手段の供給電圧を監視して所定電圧以下か否かを検出する電圧検出手段と、前記電圧検出手段で所定電圧以下あるいは所定電圧以上を交互に検出する回数を計数する交互回数計数手段と、前記電圧検出手段を駆動する周期を設定する周期設定手段と、前記周期設定手段の周期を可変する周期可変手段と、前記交互回数計数手段で所定回数を検出すると所定時間の計測を開始する時間計測手段と、前記遮断手段をガス供給可能状態に復帰させる信号を出力する復帰手段と、前記時間計測手段で所定時間経過した場合復帰信号を入力禁止とし前記遮断手段に遮断出力を行う復帰禁止手段とを備えたガス遮断装置。
【請求項３】
電源を供給する電池電源手段と、ガス媒体の供給や遮断を行う遮断手段と、前記電池電源手段の供給電圧を監視し所定電圧以下か否かを検出する電圧検出手段と、前記電圧検出手段で所定電圧以下あるいは所定電圧以上を交互に検出する回数を計測する交互回数計数手段と、前記電圧検出手段を駆動する周期を設定する周期設定手段と、前記周期設定手段の周期を可変する周期可変手段と、ガス遮断装置の設置時間を計時する設置時間計時手段と、前記交互回数計数手段で所定回数を検出すると所定時間の計測を開始する時間計測手段と、前記遮断手段をガス供給可能状態に復帰させる信号を出力する復帰手段と、前記時間計測手段で所定時間経過した場合復帰信号を入力禁止とし前記遮断手段に遮断出力を行う復帰禁止手段とを備えたガス遮断装置。
【請求項４】
電源を供給する電池電源手段と、ガス媒体の供給や遮断を行う遮断手段と、前記電池電源手段の供給電圧を監視し所定電圧以下を検出すると異常と判定する電圧検出手段と、前記電圧検出手段を駆動する周期を設定する周期設定手段と、前記電圧検出手段で電圧低下を検出すると前記周期設定手段の周期を可変する周期可変手段と、前記電圧検出手段で電圧低下を所定の回数以上検出を行った時所定時間を計測する時間計測手段と、前記遮断手段をガス供給可能状態に復帰させる信号を出力する復帰手段と、前記時間計測手段で所定時間経過した場合復帰信号を入力禁止とし前記遮断手段に遮断出力を行う復帰禁止手段とを備えたガス遮断装置。
【請求項５】
請求項１〜４のいずれか１項記載のガス遮断装置の手段の全てもしくは一部としてコンピュータを機能させるためのプログラム。
【発明の詳細な説明】
【技術分野】
【０００１】
本発明は、都市ガスやＬＰガス等を利用するガス器具の使用状態を監視するガス遮断装置において、電池電源の電源容量消耗時の安全性を確保するガス遮断装置に関する。
【背景技術】
【０００２】
従来のこの種のガス遮断装置は、図５に示すブロック図のような構成になっていた（例えば、特許文献１参照）。
【０００３】
図５のガス遮断装置１において、２は電池電源手段で、ガス遮断装置全体に電源を供給する。３は遮断手段で、流路でのガスの供給を停止したり、供給したりする。４は電圧低下検出部で、所定の動作保証時間内でガス遮断装置１の動作が可能な電池電源手段２の容量が残されている消耗状態の電池電圧検知して電圧低下信号Ａを出力する。５は開栓受付部で、電圧低下信号Ａが入力された時から遮断手段３の開栓受付を行って、開栓要求（開栓要求スイッチ又は通信による開栓信号の入力）があった時に開栓要求信号Ｃを出力する。６はタイマ部で、電圧低下信号Ａが入力された時から所定の動作保証時間をカウントして開栓終了信号Ｄを出力する。７は開栓機能停止部で、開栓終了信号Ｄが入力されたときに開栓要求信号Ｃによる開栓を停止する閉栓停止信号Ｅを出力する。８はガス遮断制御部で、電圧低下信号Ａ又は閉栓停止信号Ｅが入力された時遮断手段３を閉栓動作させ、閉栓停止信号Ｅの入力信号以前に開栓要求信号Ｃが入力された時に遮断手段３を開栓させる。
【０００４】
次に従来例の構成の動作を説明する。電池電源手段２の消耗度をチェックしている電圧低下検出部４が電池消耗電圧を検出したとき、電圧低下信号Ａを開栓受付部５とタイマ部６とガス遮断制御部８に出力する。電圧低下信号Ａが入力されたガス遮断制御部８は、第一の遮断命令信号Ｂ１を出力して遮断手段３を動作させ、ガス通路の閉栓を実行する。タイマ部６は電圧低下信号Ａが入力されるとカウント開始し、このタイマ部６により所定時間のカウント終了する迄の間に、開栓受付部５に開栓要求があり、開栓要求信号Ｃが出力された時には、ガス遮断制御部８は遮断手段３を開栓する。タイマ部６でカウント終了したとき、開栓終了信号Ｄが出力されるので、開栓機能停止部７は閉栓停止信号Ｅを出力して開栓要求の受付を停止する。閉栓停止信号Ｅが入力されたガス遮断装置１は第２の遮断命令信号Ｂ２を出力して遮断手段３を閉栓する。
【０００５】
都市ガス、ＬＰガス等の媒体ガスの流れる流路に取り付けられたガス遮断装置１において、電圧低下検出部４は所定時間間隔毎に電池電源手段２の電圧を測定し電池の消耗度を監視している。予めガス遮断装置１を動作させ得る下限値の電圧を動作保証電圧として設定しておき、ここから所要の日数分逆上った時の電圧値を電池消耗電圧として設定する。電圧低下検出部４は、電池電圧を監視してこの消耗時の電池電圧を検出する。即ち所要日数分だけ電池消耗電圧が検出されてから電池電源手段２の電圧が動作保証電圧迄低下する期間だけ遮断手段３の開栓が可能としてガス遮断装置１を交換するまでの猶予期間を設けたものである。
【特許文献１】特開平１０−１０３５４６号公報
【発明の開示】
【発明が解決しようとする課題】
【０００６】
しかしながら、前記従来の構成では下記問題点があった。電圧低下検出部４が所定の消耗状態の電池電圧を検知して電圧低下信号Ａを出力しタイマ部６がカウント開始し、タイマ部６が所定時間経過するとガス遮断制御部８より遮断信号が遮断手段３に出力されるが、電圧低下検出部４を如何に駆動し電池電圧を検出するかが開示されておらず、電池容量が充分あるのに例えば冬季の極低温環境下で誤判定するという問題点を有していた。
【０００７】
本発明は、前記従来の課題を解決するもので、電池電圧の監視を誤判定なく行える安全性や信頼性の高いガス遮断装置を提供することを目的としたものである。
【課題を解決するための手段】
【０００８】
前記従来の課題を解決するために本発明は、電源を供給する電池電源手段と、ガス媒体の供給や遮断を行う遮断手段と、供給可能状態に復帰させる信号を出力する復帰手段と電池電源手段の供給電圧を監視し所定電圧以下を検出時異常と判定する電圧検出手段と、電圧検出手段を駆動する周期を設定する周期設定手段と、周期設定手段の周期を可変する周期可変手段と、周期可変手段により周期設定手段の周期を変えて電圧検出手段で供給電圧の監視判定する構成にしている。
【０００９】
このことにより電圧検出手段は周期可変手段により常時駆動周期が変わり、一定時間帯で常に電圧判定を行うのではなく、様々な時間帯で電池電源の供給電圧能力をチェックするので、例えば冬季で異常な寒波が襲来し極低温下で電池電圧確認を行った場合があり、その場合周期可変手段で従来の周期設定手段で設定した間隔ではなく異なった時間帯で電池電圧を確認するように可変した周期を周期設定手段に設定し電圧監視することによりその冬で最も寒い一過性の極低温により電池低下と誤判定することがなく、誤判定の結果所定時間経過後遮断しガスを使用できないという不具合がなくガス遮断装置の安全性や信頼性を高めることができる。
【発明の効果】
【００１０】
本発明のガス遮断装置によれば、電圧検出手段により所定値以下を検出すると即座に異常と判定するのではなく、周期設定手段の設定時間を変えた時間帯で、即ち電圧検出手段を駆動する時間帯を前回の電圧低下を検出した時間帯とは異なる時間帯に変える周期に設定し電圧検出手段を駆動しその結果電圧値が正常と判定できたならば誤判定と判定し、冬季の寒波等の襲来による一時的な気温低下で電池容量がまだ十分残っているにもかかわらず電圧低下と誤判定を防止することが出来、誤判定により時間計測手段が作動し遮断手段が作動しガス供給が停止しガスを使用できないという不具合を防止できる。
【発明を実施するための最良の形態】
【００１１】
第１の発明は、電源を供給する電池電源手段と、ガス媒体の供給や遮断を行う遮断手段と、前記電池電源手段の供給電圧を監視して所定電圧以下を検出すると異常と判定する電圧検出手段と、前記電圧検出手段を駆動する周期を設定する周期設定手段と、前記周期設定手段の周期を可変する周期可変手段と、前記電圧検出手段で所定の回数以上検出を行った時に所定時間の計測を開始する時間計測手段と、前記遮断手段をガス供給可能状態に復帰させる信号を出力する復帰手段と、前記時間計測手段で所定時間が経過した場合に復帰信号を入力禁止とし前記遮断手段に遮断出力を行う復帰禁止手段とからなる。
【００１２】
そして、周期可変手段は監視周期を変える出力を周期設定手段に対し行い、周期設定手段により間欠的に駆動される電圧検出手段により電池電源の供給電圧が所定電圧以下であるのを一時的に検出しても、電圧検出時間帯を変えるように周期可変手段は周期設定手段の周期を変化させて電圧検出手段を駆動させて供給電圧を確認しており、時間帯を変えて電池電圧が正常の場合前回の電池電圧低下検出が環境温度等による誤判定と判定し、又時間帯を変えて電池電圧を検出しても電池低下を検出した時電池低下異常と判定し時間計測手段による時間計測をスタートさせ、報知手段に異常表示を報知すると共に、時間計測手段でカウント後に遮断手段を駆動するようにしているので一過性の寒波などによる異常気象による原因で電池低下と誤判定し遮断するというような不具合がなくガス遮断装置の使い勝手や信頼性を高めている。
【００１３】
第２の発明は、電源を供給する電池電源手段と、ガス媒体の供給や遮断を行う遮断手段と、前記電池電源手段の供給電圧を監視して所定電圧以下か否かを検出する電圧検出手段と、前記電圧検出手段で所定電圧以下あるいは所定電圧以上を交互に検出する回数を計数する交互回数計数手段と、前記電圧検出手段を駆動する周期を設定する周期設定手段と、前記周期設定手段の周期を可変する周期可変手段と、前記交互回数計数手段で所定回数を検出すると所定時間の計測を開始する時間計測手段と、前記遮断手段をガス供給可能状態に復帰させる信号を出力する復帰手段と、前記時間計測手段で所定時間経過した場合復帰信号を入力禁止とし前記遮断手段に遮断出力を行う復帰禁止手段とからなる。
【００１４】
そして、ガス遮断装置の設置以降時間経過により電池電源の消費量が多くなるが、周期可変手段は監視周期を変える出力を周期設定手段に対し行い、周期設定手段により間欠的に駆動される電圧検出手段により電池電源の供給電圧が所定電圧以下を検出しても、周期可変手段により周期設定手段の周期を変化させて電圧検出手段を駆動させると供給電圧の正常を検出することがあるが、交互回数計時手段でこの状態を検出しカウントし、所定回数到達すると時間計測手段を計測開始することにより、電池容量消費が進行しているが電池電圧低下を連続検出できず、検出したときには遮断手段の駆動能力を失っているということがないようにしており、報知手段に異常表示を報知すると共に、時間計測手段でカウント後に遮断手段を駆動するようにしているので一過性の寒波などによる異常気象による原因で電池低下と誤判定し遮断することなく、逆に正常・異常を繰返し電池電圧の供給異常状態の検出が遅れるというような不具合がなくガス遮断装置の使い勝手や信頼性を高めている。
【００１５】
第３の発明は、電源を供給する電池電源手段と、ガス媒体の供給や遮断を行う遮断手段と、前記電池電源手段の供給電圧を監視し所定電圧以下か否かを検出する電圧検出手段と、前記電圧検出手段で所定電圧以下あるいは所定電圧以上を交互に検出する回数を計測する交互回数計数手段と、前記電圧検出手段を駆動する周期を設定する周期設定手段と、前記周期設定手段の周期を可変する周期可変手段と、ガス遮断装置の設置時間を計時する設置時間計時手段と、前記交互回数計数手段で所定回数を検出すると所定時間の計測を開始する時間計測手段と、前記遮断手段をガス供給可能状態に復帰させる信号を出力する復帰手段と、前記時間計測手段で所定時間経過した場合復帰信号を入力禁止とし前記遮断手段に遮断出力を行う復帰禁止手段とからなる。
【００１６】
そして、電池電源手段の容量を極力保有させ、かつその消費状態を正確に確認するため長い監視周期を設定する第１の周期設定手段と、短い周期を設定する第２の周期設定手段とが交互に設定出力を周期設定手段に対し行い、周期設定手段により間欠的に駆動される電圧検出手段により電池電源の供給電圧が所定電圧以下であるのを一時的に検出しても、第１及び第２の周期設定手段は電圧検出時間帯を変えるように周期可変し、更に周期設定手段の周期を変化させて電圧検出手段を駆動させて供給電圧を確認しており、時間帯を変えて電池電圧が正常の場合前回の電池電圧低下検出が環境温度等による誤判定と判定し、又時間帯を変えて電池電圧を検出しても電池低下を検出した時電池低下異常と判定し時間計測手段による時間計測をスタートさせ、報知手段に異常表示を報知すると共に、時間計測手段でカウント後に遮断手段を駆動するようにしているので一過性の寒波などによる異常気象による原因で電池低下と誤判定し遮断するというような不具合がなくガス遮断装置の使い勝手や信頼性を高めている。
【００１７】
第４の発明は、電源を供給する電池電源手段と、ガス媒体の供給や遮断を行う遮断手段と、前記電池電源手段の供給電圧を監視し所定電圧以下を検出すると異常と判定する電圧検出手段と、前記電圧検出手段を駆動する周期を設定する周期設定手段と、前記電圧検出手段で電圧低下を検出すると前記周期設定手段の周期を可変する周期可変手段と、前記電圧検出手段で電圧低下を所定の回数以上検出を行った時所定時間を計測する時間計測手段と、前記遮断手段をガス供給可能状態に復帰させる信号を出力する復帰手段と、前記時間計測手段で所定時間経過した場合復帰信号を入力禁止とし前記遮断手段に遮断出力を行う復帰禁止手段とをからなる。
【００１８】
そして、周期設定手段により所定周期で間欠的に駆動される電圧検出手段により電池電源の供給電圧が所定電圧以下であるのを検出すると、電圧検出時間帯を変えるように周期可変手段は周期設定手段の周期を変化させて電圧検出手段を駆動させ、電池電圧を確認するが、時間帯を変えて電池電圧が正常の場合前回の電池電圧低下検出が環境温度等による誤判定と判定し、又時間帯を変えて電池電圧を検出しても電池低下を検出した時電池低下異常と判定し時間計測手段による時間計測をスタートさせ、報知手段に異常表示を報知すると共に、時間計測手段でカウント後に遮断手段を駆動するようにしているので一過性の寒波などによる異常気象による原因で電池低下と誤判定し遮断するというような不具合がなくガス遮断装置の使い勝手や信頼性を高めている。
【００１９】
第５の発明は、、第１〜４のいずれか１つの発明のガス遮断装置の手段の全てもしくは一部をコンピュータに実行させるためのプログラムである。
【００２０】
そして、プログラムであるのでマイコン等を用いて本発明のガス遮断装置の一部あるいは全てを容易に実現することができる。また記録媒体に記録したり通信回線を用いてプログラムを配信したりすることでプログラムの配布やインストール作業が簡単にできる。
【００２１】
以下、本発明の実施の形態について図１、図２、図３及び図４を参照して説明する。図１、図２、図３及び図４において、図５と同一機能を有する構成要素に関しては同一符号を付した。
【００２２】
（実施の形態１）
図１は本発明の第１の実施の形態のガス遮断装置で、９はガス遮断装置の制御手段、１０は流量検出手段で、使用ガス量の検出を行う。流量検出手段１０は例えば超音波素子を用いて伝搬時間計測を行うことによる流量計測の方式であったり、コアンダ効果を利用した流量発振を計測することによる流量計測の方式であったり、又膜式計量部によるガス量計測を行う方式もある。１１は外部機器手段で、例えばガス漏れ検出を行うガス漏れ警報器であったり、地震を検出する感震手段であったり、又ガス圧力を検出する圧力検出手段であり、ガス漏れや地震を検出したりガス圧力低下を検出すると信号を出力する。１２は異常判定手段で、流量検出手段１０で検出したガスの使用状態より、例えば一つのガス器具を異常な程長時間使用したのを検出したり、或いは外部機器手段１１でガス漏れを検出したり、地震を検出すると所定強度以上か判定し所定強度以上の地震と判定すると遮断手段３にガス供給停止するための遮断信号を出力する。１３は復帰手段で、操作されると遮断手段３にガス供給を開始するため遮断手段３の復帰信号を出力する。１４は復帰禁止手段で、復帰手段１３からの復帰信号を遮断手段３に出力するか否か判定し、復帰禁止状態でなければ出力し、遮断手段３を開放状態にする。１５は周期設定手段で、電池電圧を監視する時間を設定し、所定時間経過時に電池電圧監視の駆動信号を出力する。１６は電圧検出手段で、周期設定手段１５より駆動信号を受けると電池電源手段２の出力電圧を監視し、所定値以下に電圧低下しているか否かを判定し電圧低下を検出すると電圧低下信号を出力する。１７は周期可変手段で、電圧検出手段１６の駆動周期を可変した設定値を周期設定手段１５に出力する。例えば電池電圧検出を最初２５時間後に行い、その後最初の時間帯と異なる１３時間後に設定する。周期設定手段１５に出力しその時間が経過すると電圧検出手段１６が駆動される。異なる時間帯で電圧検出手段１６が駆動され電圧判定を行い、電圧値が正常と判定したならば寒波等の一時的な気象要因による気温低下が原因の誤動作と判定し、一方、連続して電圧低下と再度判定したならば電池消耗による電圧低下と判定する。１８は時間計測手段で、電圧検出手段１６より電圧低下状態を検出すると、その低下信号により電池電圧低下検出後のガス遮断装置の使用可能な時間のカウントを開始する。即ち、ガス器具の使用状態の安全監視を正常な電圧範囲で行える時間の経過時間カウントを行う。時間計測手段１８で使用可能時間を計測完了すると、即ち所定時間が経過すると復帰禁止手段１４に復帰手段１３からの復帰指示信号入力を禁止し、遮断手段３に遮断信号を出力しガス供給停止状態に維持し、報知手段１９にガス遮断装置の交換の異常表示をする。
【００２３】
又、電池電圧低下信号が時間計測手段１８に出力され、時間計測手段１８で所定時間に達する前に、即ち時間計測中に需要家によるガス器具の異常使用状態を異常判定手段１２で検出すると遮断手段３に遮断信号を出力すると共に、復帰禁止手段１４に異常状態検出の遮断通知信号が入力されると復帰禁止手段１４では以降復帰手段１３からの遮断手段３の復帰信号を受け付けず、遮断状態に保持する。
【００２４】
次に上記構成の動作を説明する。ガス遮断装置が設置され流量検出手段１０や外部機器手段１１でガス需要家のガス器具使用状態を監視する。その使用途中で異常な使用を異常判定手段１２で検出すると、例えばガスストーブを異常な長時間使用しているのを検出すると遮断手段３に遮断信号を出力しガス供給を停止する。このような監視状況下で冬季異常な寒波が襲来し低温状態に電池電源手段２がさらされ、かつ記録的な異常低温が続いた場合、周期設定手段１５で設定した周期で電圧検出手段１６を駆動し電池電源手段２の電圧を監視しているが、夜明け頃の最も低温時に計測すると、電池容量が十分残っているにもかかわらず一時的に電池低下と検出する場合がある。
【００２５】
このような場合、環境要因による電池電圧の判定の影響を受けない様にする為、周期可変手段１７は次回の電圧検出周期を例えば１２〜１３時間後などの電圧低下と検出した時間帯と異なる時間帯を周期設定手段１５に設定する。即ち、周期設定手段１５の周期に従って現在判定した時間帯と異なる時間帯で電圧検出手段１６を駆動し供給電圧監視を行う。異常気象による極低温による電圧低下を検出時、周期可変手段１７で所定時間ずらして電圧検出手段１６を駆動し電池電圧を計測し、電池電圧が正常と判定したならば、異常な極低温などの気象要因による誤判定と判定する。
【００２６】
又、１ヶ月の期間において、電圧検出手段１６の駆動時間帯が１日の全時間帯を網羅する様に周期可変手段１７は周期設定手段１５に対し時間設定する。一方何らかの原因で異常に電池電源手段２の電池容量を消費し電池電圧が低下した場合、電圧検出手段１６で電池低下状態を検出し、周期可変手段１７で計測周期を可変して電圧計測しても電圧低下状態が続く。その状態を電圧検出手段１６が検出すると電圧低下信号を出力し、復帰禁止手段１４、及び時間計測手段１８に低下状態信号を入力する。同時に報知手段１９により電池低下状態の表示をＬＣＤ素子やＬＥＤ素子等で行う。更にガス供給事業者に電話回線などを通じて電池低下異常状態を通報する。更に、時間計測手段１８は電池低下信号状態を検出すると時間カウントを行い電池電圧低下以降のガス遮断装置の使用可能時間を計測し、所定時間カウントすると復帰禁止手段１４に復帰手段１３からの信号受付を禁止状態にすると共に遮断手段３に遮断信号の出力を行う。このことにより以降ガス供給停止を図ることによりガス遮断装置の安全使用可能時間を経過したことを通知する。
【００２７】
又、電池低下信号を受けた後時間計測手段１８で時間カウント中に、流量検出手段１０や外部機器手段１１により需要家のガス器具の使用状態を検出し、異常状態を検出するとその時点で時間計測手段１８の時間カウントを停止し、かつガス使用禁止状態にする。報知手段１９を介して以降ガス遮断装置自体を交換しない限りガス供給できない旨を需要家並びにガス供給事業者に通知する。
【００２８】
このようにしてガス遮断装置の電池電源が電圧検出手段１６により所定値以下を検出すると即座に異常と判定するのではなく、周期可変手段１７より周期設定手段１５による電圧検出周期をずらして電池電源手段２の電圧監視を行い、冬季の異常な寒波襲来による極低温による電池電源の一時的な電圧低下を、本当の電池容量消耗による恒久的な電池低下と識別して判定するので、気象要因などによる誤判定により所定時間後遮断しガス需要家のガス器具使用をできなくしたり、ガス供給事業者に不要な出動をさせるのを防止することができる。
【００２９】
（実施の形態２）
図２は本発明の第２の実施の形態のガス遮断装置である。
【００３０】
図２で、２０は交互回数計数手段で、周期可変手段１７により周期設定手段１５に設定された周期で電圧検出手段１６が駆動され、その結果電圧低下判定と電圧正常判定とが交互に発生した場合の回数をカウントする。そして所定回数に達したならば時間計測手段に電池低下状態信号を出力する。
【００３１】
次に上記構成の動作を説明する。ガス遮断装置が設置され長期間経過し、その間流量検出手段１０や外部機器手段１１でガス需要家のガス器具使用状態を監視する。その使用途中で異常な使用を異常判定手段１２で検出すると、例えばガスストーブを異常な長時間使用しているのを検出すると遮断手段３に遮断信号を出力しガス供給を停止する。そして、電池容量の消費がかなり進んでいる場合、冬季の夜明け頃や昼間等の温度差が大きい状況で、周期設定手段１５で設定された電圧検出手段１６を駆動し電池電源手段２の電圧を監視しているが、夜明け頃の最も低温時に計測すると電池電圧低下と計測し、昼間時間帯に再度供給電圧レベルを確認すると正常電圧となり、交互に異常、正常を判定する場合がある。
【００３２】
このような場合、環境要因による電池電圧の判定の影響を受けない様にする為、周期可変手段１７は次回の電圧検出周期を例えば１２〜１３時間後などの電圧低下と検出した時間帯と異なる時間帯を周期設定手段１５に設定する。即ち現在判定した時間帯と異なる時間帯に周期設定手段１５の周期に可変して電圧検出手段１６を駆動し供給電圧監視を行う。周期設定手段１５の周期間隔で電圧検出手段１６により電池電源手段２の遮断手段３の駆動能力を判定するが、低温になりやすい夜明け時は電圧低下を検出時、周期可変手段１７で所定時間ずらして電圧検出手段１６を駆動し電池電圧を計測し、電池電圧が正常と判定した場合、交互に低下と正常状態を検出すると交互回数計数手段２０でカウントする。連続して発生しない場合、異常な極低温などの気象要因による誤判定と判定し回数をリセットする。
【００３３】
又、１ヶ月の期間において、電圧検出手段１６の駆動時間帯が１日の全時間帯を網羅する様に周期可変手段１７は周期設定手段１５に対し時間設定する。全時間帯で正常か、異常かを判定すると共に、ガス遮断装置１の設置以降、異常使用を検出し遮断回数が多くなり所定時間が経過すると、ある時間帯では電圧低下と判定し、昼間時間帯は電圧正常と交互に逆の結果を繰返す。この計測状態による結果の反転を長期に繰返していくと、電池の放電深度が深まり突然の遮断手段３の駆動能力喪失を防止するため、交互回数計数手段２０による計数が一定回数に到達したら、時間計測手段１８に電池低下信号を出力する。又その状態信号を復帰禁止手段１４は入力する。同時に報知手段１９により電池低下状態の表示をＬＣＤ素子やＬＥＤ素子等で行う。更にガス供給事業者に電話回線などを通じて電池低下異常状態を通報する。更に、時間計測手段１８は電池低下信号状態を検出すると時間カウントを行い電池電圧低下以降のガス遮断装置の使用可能時間を計測し、所定時間カウントすると復帰禁止手段１４に復帰手段１３からの信号受付を禁止状態にすると共に遮断手段３に遮断出力を行う。以上により以降ガス供給停止を図り、ガス遮断装置の安全使用可能時間を経過したことを通知することができる。
【００３４】
又、電池低下信号を受けた後、時間計測手段１８で時間カウント中に、流量検出手段１０や外部機器手段１１により需要家のガス器具の使用状態を検出し、異常状態を検出するとその時点で時間計測手段１８の時間カウントを停止し、かつガス使用禁止状態にする。そして、報知手段１９を介して以降ガス遮断装置自体を交換しない限りガス供給できない旨を需要家並びにガス供給事業者に通知する。
【００３５】
このようにしてガス遮断装置の電池電源が電圧検出手段１６により所定値以下を検出すると即座に異常と判定するのではなく、周期可変手段１７より周期設定手段１５による電圧検出周期をずらして電池電源手段２の電圧監視を行い、更に交互回数計数手段２０でかなり電池電源手段２の放電深度が進んだ時点で発生する正常／異常判定の交互状態をカウントし所定回数に達した時電池低下と判定するので、１日の気温変化サイクルによる誤判定、及び冬季の異常な寒波襲来による極低温による電池電源の一時的な電圧低下を、本当の電池容量消耗による恒久的な電池低下と識別して判定するので、気象要因などによる誤判定による遮断によりガス需要家のガス器具使用をできなくしたり、ガス供給事業者に不要な出動をさせるのを防止することができる。
【００３６】
（実施の形態３）
図３は本発明の第３の実施の形態のガス遮断装置である。
【００３７】
図３で、２１は設置時間計時手段で、ガス遮断装置１設置以降の時間をカウントし、所定時間経過したら、電池電源手段２の使用時間が使用末期に近づいたことを交互回数計数手段２０に出力し、周期設定手段１５に設定された周期で電圧検出手段１６が駆動され、その結果電圧低下判定と電圧正常判定とが交互に発生した時の回数をカウント開始する。
【００３８】
次に上記構成の動作を説明する。ガス遮断装置が設置される共に設置時間計時手段２１が時間カウントを開始する。設置後長期間経過し、その間流量検出手段１０や外部機器手段１１でガス需要家のガス器具使用状態を監視する。その使用途中で異常な使用を異常判定手段１２で検出すると、例えばガスストーブを異常な長時間使用しているのを検出すると遮断手段３に遮断信号を出力しガス供給を停止する。このような保安下で設置時間が所定時間経過するまでは、例えば冬季の寒波により一時的な電池電圧低下があ発生することがあるが、環境要因による誤判定を防止する必要がある。そこで設置時間計時手段２１が所定時間経過すると、交互回数計数手段２０による電池低下或いは正常という状態変化の回数のカウントを開始する。所定時間経過すると電池容量の消費がかなり進んでいるので、冬季の夜明け頃や昼間等の温度差が大きい状況で、周期設定手段１５で設定された電圧検出手段１６を駆動し電池電源手段２の電圧を監視していると、夜明け頃の最も低温時に計測すると電池電圧低下と計測し、昼間時間帯に再度供給電圧レベルを確認すると正常電圧となり、交互に異常、正常を判定する場合がある。
【００３９】
このような場合、環境要因による電池電圧の判定の影響を受けない様にする為、周期可変手段１７は次回の電圧検出周期を例えば１２〜１３時間後などの電圧低下と検出した時間帯と異なる時間帯を周期設定手段１５に設定する。即ち現在判定した時間帯と異なる時間帯に周期設定手段１５の周期に可変して電圧検出手段１６を駆動し供給電圧監視を行う。周期設定手段１５の周期間隔で電圧検出手段１６により電池電源手段２の遮断手段３の駆動能力を判定するが、低温になりやすい夜明け時は電圧低下を検出時、周期可変手段１７で所定時間ずらして電圧検出手段１６を駆動し電池電圧を計測し、電池電圧が正常と判定した場合、交互に低下と正常状態を検出すると交互回数計時手段２０でカウントする。連続して発生しない場合、異常な極低温などの気象要因による誤判定と判定し回数をリセットする。
【００４０】
又、１ヶ月の期間において、電圧検出手段１６の駆動時間帯が１日の全時間帯を網羅する様に周期可変手段１７は周期設定手段１５に対し時間設定する。全時間帯で正常か、異常かを判定すると共に、ガス遮断装置１の設置以降異常使用を検出し遮断回数が多くなり所定時間が経過すると、ある時間帯では電圧低下と判定し、昼間時間帯は電圧正常と交互に逆の結果を繰返す。この計測状態による結果の反転を長期に繰返していくと、電池の放電深度が深まり突然の遮断手段３の駆動能力喪失を防止するため、交互回数掲示手段２０が一定回数に到達したら、時間計測手段１８に電池低下信号を出力する。又その状態信号を復帰禁止手段１４は入力する。同時に報知手段１９により電池低下状態の表示をＬＣＤ素子やＬＥＤ素子等で行う。更にガス供給事業者に電話回線などを通じて電池低下異常状態を通報する。更に、時間計測手段１８は電池低下信号状態を検出すると時間カウントを行い電池電圧低下以降のガス遮断装置の使用可能時間を計測し、所定時間カウントすると復帰禁止手段１４に復帰手段１３からの信号受付を禁止状態にすると共に遮断手段３に遮断出力を行う。このことにより以降ガス供給停止を図ることによりガス遮断装置の安全使用可能時間を経過したことを通知する。
【００４１】
このようにしてガス遮断装置１の設置以降、設置時間計時手段２１が経過時間をカウントし、所定時間が経過するまでは電池電源が電圧検出手段１６により所定値以下を検出すると即座に異常と判定するのではなく、所定時間経過以降において周期可変手段１７より周期設定手段１５による電圧検出周期をずらして電池電源手段２の電圧監視を行い、交互回数計数手段２０が正常／異常判定の交互状態のカウントを開始する。所定回数に達した時電池低下と判定するので、１日の気温変化サイクルによる誤判定、及び冬季異常な寒波襲来による極低温による電池電源の一時的な電圧低下を、本当の電池容量消耗による恒久的な電池低下と識別して判定するので、気象要因などによる誤判定により遮断しガス需要家のガス器具使用をできなくしたり、ガス供給事業者に不要な出動をさせるのを防止することができる。
【００４２】
（実施の形態４）
図４は本発明の第４の実施の形態のガス遮断装置である。
【００４３】
図４で、１７は周期可変手段で、電圧検出手段１６の電圧低下信号を受けると周期設定手段１５の駆動信号出力時間を可変する。例えば電池電圧低下検出した時間帯の１２時間後等異なった時間帯を設定し、周期設定手段１５に出力しその時間が経過すると電圧検出手段１６が駆動される。異なる時間帯で電圧検出手段１６が駆動され電圧判定を行い、電圧値が正常と判定したならば寒波等の一時的な気象要因による気温低下が原因の誤動作と判定し、電圧低下と再度判定したならば電池消耗による電圧低下と判定する。１８は時間計測手段で、電圧検出手段１６より電圧低下状態を検出すると、その低下信号により電池電圧低下検出後のガス遮断装置の使用可能な時間のカウントを開始する。即ち、ガス器具の使用状態の安全監視を正常な電圧範囲で行える時間の経過時間カウントを行う。時間計測手段１７で使用可能時間を計測完了すると、即ち所定時間が経過すると復帰禁止手段１４に復帰手段１３からの復帰指示信号入力を禁止し、遮断手段３に遮断出力しガス供給停止状態に維持し、報知手段１９にガス遮断装置の交換の異常表示をする。
【００４４】
又、電池電圧低下信号が時間計測手段１８に出力され、時間計測手段１８で所定時間に達する前に、即ち時間計測中に需要家によるガス器具の異常使用状態を異常判定手段１２で検出すると遮断手段３に遮断信号を出力すると共に、復帰禁止手段１４に異常状態検出の遮断通知信号が入力されると復帰禁止手段１４では以降復帰手段１３からの遮断手段３の復帰信号を受け付けず、遮断状態に保持する。
【００４５】
次に上記構成の動作を説明する。ガス遮断装置が設置され流量検出手段１０や外部機器手段１１でガス需要家のガス器具使用状態を監視する。その使用途中で異常な使用を異常判定手段１２で検出すると、例えばガスストーブを異常な長時間使用しているのを検出すると遮断手段３に遮断信号を出力しガス供給を停止する。このような監視状況下で冬季異常な寒波が襲来し低温状態に電池電源手段２がさらされ、かつ記録的な異常低温が続いた場合、周期設定手段１５で設定した周期で電圧検出手段１６を駆動し電池電源手段２の電圧を監視しているが、夜明け頃の最も低温時に計測すると、電池容量が十分残っているにもかかわらず一時的に電池低下と検出する場合がある。このような場合、周期可変手段１７は電圧低下信号を入力すると、次回の電圧検出周期を例えば１２時間後などの電圧低下と検出した時間帯と異なる時間帯を周期設定手段１５に設定する。即ち現在の周期設定手段１５の設定時間帯よりずらして電圧検出手段１６を駆動し電圧監視を行う。異常気象による極低温による電圧低下を検出時周期可変手段１７で所定時間ずらして電圧検出手段１６を駆動し電池電圧を計測し、電池電圧が正常と判定したならば、異常な極低温などの気象要因による誤判定と判定し時間計測手段１８の計測開始状態をリセットするとともに、当初の周期設定値で電圧監視を行う。一方何らかの原因で異常に電池電源手段２の電池容量を消費し電池電圧が低下し、電圧検出手段１６で電池低下状態を検出すると、周期可変手段１７で計測周期を可変して電圧計測しても電圧低下状態が続く。その状態下で電圧検出手段１６が電圧低下信号を出力すると復帰禁止手段１４、及び時間計測手段１８に低下状態信号を出力する。同時に報知手段１９により電池低下状態の表示をＬＣＤ素子やＬＥＤ素子等で行う。更にガス供給事業者に電話回線などを通じて電池低下異常状態を通報する。更に、時間計測手段１８は電池低下信号状態を検出すると時間カウントを行い電池電圧低下以降のガス遮断装置の使用可能時間を計測し、所定時間カウントすると復帰禁止手段１４に復帰手段１３からの信号受付を禁止状態にすると共に遮断手段３に遮断出力を行う。このことにより以降ガス供給停止を図ることによりガス遮断装置の安全使用可能時間を経過したことを通知する。
【００４６】
又、電池低下信号を受けた後時間計測手段１８で時間カウント中に、流量検出手段１０や外部機器手段１１により需要家のガス器具の使用状態を検出し、異常状態を検出するとその時点で時間計測手段１８の時間カウントを停止し、かつガス使用禁止状態にする。報知手段１９を介して以降ガス遮断装置自体を交換しない限りガス供給できない旨を需要家並びにガス供給事業者に通知する。
【００４７】
このようにしてガス遮断装置の電池電源が電圧検出手段１６により所定値以下を検出すると即座に異常と判定するのではなく、低下信号で周期可変手段１７より周期設定手段１５による電圧検出周期をずらして電池電源手段２の電圧監視を行い、冬季異常な寒波襲来による極低温による電池電源の一時的な電圧低下を、本当の電池容量消耗による恒久的な電池低下と識別して判定するので、気象要因などによる誤判定により所定時間後遮断しガス需要家のガス器具使用をできなくしたり、ガス供給事業者に不要な出動をさせたりすることがない。
【産業上の利用可能性】
【００４８】
以上のように、本発明にかかるガス遮断装置によれば、一時的な気温低下による電圧低下を電池消耗と誤判定することを防止できるので、電池を利用した機器に適用することが出来る。
【図面の簡単な説明】
【００４９】
【図１】本発明の第１の実施例のガス遮断装置の制御ブロック図
【図２】本発明の第２の実施例のガス遮断装置の制御ブロック図
【図３】本発明の第３の実施例のガス遮断装置の制御ブロック図
【図４】本発明の第４の実施例のガス遮断装置の制御ブロック図
【図５】従来のガス遮断装置の制御ブロック図
【符号の説明】
【００５０】
２  電池電源手段
３  遮断手段
１０  流量検出手段
１１  外部機器手段
１２  異常判定手段
１３  復帰手段
１４  復帰禁止手段
１５  周期設定手段
１６  電圧検出手段
１７  周期可変手段
１８  時間計測手段
２０  交互回数計時手段
２１  設置時間計時手段
【図１】
2005140442.tif 000003
【図２】
2005140442.tif 000004
【図３】
2005140442.tif 000005
【図４】
2005140442.tif 000006
【図５】
2005140442.tif 000007